(57)【要約】【課題】一次電池が不要なガス保安メーターを提供すること。【解決手段】ガス流路部１Ａを流れるガス量を計測するガス流量計測手段と、ガス流路１Ａ部のガスにより発電を行う燃料電池２と、燃料電池２から電力の供給を受けガス流路１Ａ部のガス供給を停止するガス遮断手段３とを備えている。これによって一時電池を内蔵することなく十分な量の電力をガス遮断手段３に供給することが可能となる。【選択図】　図１
2004093164.tif 000002
【特許請求の範囲】
【請求項１】
ガスが流れるガス流路部と、このガス流路部を通過するガス量を計測するガス流量計測手段と、前記ガス流路部後方に配置され流路部のガスにより発電を行う燃料電池と、前記燃料電池から電源供給を受け前記ガス流路部のガスの流れを停止するガス遮断手段を備えたガス保安メーター。
【請求項２】
ガス遮断手段は判定処理用のマイコンを有し、前記マイコンは燃料電池も制御する請求項１記載のガス保安メーター。
【請求項３】
燃料電池の発電は、あらかじめ定められた所定時間、断続的に繰り返す請求項２記載のガス保安メーター。
【請求項４】
燃料電池以外の別電源からもガス遮断手段に電力が供給される請求項１、２または３記載のガス保安メーター。
【請求項５】
燃料電池の動作異常を表示する表示手段を有する請求項１〜４のいずれか１項に記載のガス保安メーター。
【発明の詳細な説明】
【０００１】
【発明の属する技術分野】
本発明は、ガス使用上の安全を図るガス遮断手段を有するガス保安メーターに関するものである。
【０００２】
【従来の技術】
従来、この種のガス保安メーターは、図３に示すようにガス流路部７を流れるガス流量計測部８と、ガス遮断手段用のマイコンを搭載するコントローラ基板９上にリチウム電池１０を電源として実装したガス遮断手段からなっていた。
【０００３】
【発明が解決しようとする課題】
しかし、このようなガス保安メーターは、スタンドアローンが前提であってその使用期間が１０年間と長いために、ガス遮断手段の保安性能をより高めようとした場合にはその機能が増加した分消費電流をカバーする方策として、内蔵する一次電池の容量を大きくする必要があった。
【０００４】
本発明は、蒸気従来の問題点を解決すべく創案されたもので、ガス流路部のガス７を燃料源とすることで一次電池が不要なガス保安メーターを提供することを目的とする。
【０００５】
【課題を解決するための手段】
上記課題を解決するために、ガス流路部を流れるガス量を計測するガス流量計測手段と、ガス流路部のガスにより発電を行う燃料電池と、この燃料電池からの電源供給を受けガス流路部のガス供給を停止するガス遮断手段とを備えたものである。
【０００６】
上記発明によれば、ガス流路部のガスを燃料電池とすることで一次電池が不要なガス保安メーターを提供することができる。
【０００７】
【発明の実施の形態】
本発明は、ガス流路部を流れるガス量を計測するガス流量計測手段と、前記ガス流量計測手段よりも後流側に配置されガス流路部のガスにより発電を行う燃料電池と、この燃料電池から電源供給を受けガス流路部のガス供給を停止するガス遮断手段とで構成されたものである。これによってガス遮断手段には一時電池無しで十分な量の電力を供給することができる。
【０００８】
また、ガス遮断手段の判定処理にマイコンを用い、マイコンは燃料電池も制御するよう構成されたものである。
【０００９】
さらに、燃料電池の発電は、一定時間を断続的に繰り返すものである。
【００１０】
また、燃料電池以外の別電源からもガス遮断装置に電力を同時供給可能としたものである。
【００１１】
そして、燃料電池の動作異常を表示する表示手段を有するものである。
【００１２】
【実施例】
以下本発明の実施例について図面を用いて説明する。
【００１３】
（実施例１）
図１は本発明の実施例のガス保安メーターの構成図である。図１において、１はガス流量計測手段、２はガス流量計測手段よりもガス流路１Ａ部後方に配置されガス流路部のガスにより発電を行う燃料電池、３は燃料電池から電源供給を受けガス流路１Ａ部のガス供給を停止するガス遮断手段、４はガス遮断手段の判定処理用マイコン、５は燃料電池以外の別電源、６は燃料電池の動作異常を表示する表示手段である。
【００１４】
次に上記構成における作用を説明する。
【００１５】
本発明のガス保安メーターは、ガス流量計測手段１よりもガス流路１Ａ部後方に配置された燃料電池２にてガス流路１Ａ部のガスにより発電するため、ガス保安メーターの保安機能として必要なガス遮断手段３を駆動する電源を一次電池等で内蔵しなくても十分な電源供給を可能とすることができる。またガス遮断手段３の判定処理用マイコン４を燃料電池２の作動制御用にも兼用することにより、燃料電池用の材料コストを低減することができる。さらに兼用する判定処理用マイコン４において燃料電池２の発電タイミングを、図２に示すタイミングチャートのように、ガス遮断手段３の保安機能の一つである「宅内管漏洩検知」が誤作動しないように一定時間の発電を断続的に繰り返すように設定しておくことも可能である。
【００１６】
またガス保安メーターがガス遮断後もしくはガス供給を長期間止められた場合は、供給ガスを燃料源とする燃料電池２からの電源供給が不可能となるため、マイコンバックアップ用の被充電回路である別電源５から同時供給可能の構成としておけば、マイコンの内部データが失われることもない。　尚、前記実施例において、電池を何時でも外部から接続できる構成を用いても同様の効果を有する。そして、兼用される判定処理用のマイコン４は、燃料電池２の動作異常を検出すると、ガス遮断手段３の表示手段６に、表示も兼用して出力することも可能であり、燃料電池２専用の表示手段は不要となる。
【００１７】
【発明の効果】
本発明のガス保安メーターは、ガス流路部のガスにより発電する燃料電池を備えているため、ガス保安メーターの保安機能として必要なガス遮断手段を駆動する電源を一次電池等を内蔵しなくても十分な量の電力供給を可能とすることができる。
【００１８】
またガス遮断手段の判定処理用マイコンを燃料電池の作動制御用にも兼用することにより、燃料電池用の材料コストを低減することができる。さらに兼用する判定処理用マイコンにおいて燃料電池の発電タイミングを、ガス遮断手段の保安機能の一つである「宅内管漏洩検知」が誤作動しないように一定時間の発電を断続的に繰り返すように設定しておくことも可能である。
【００１９】
またガス保安メーターがガス遮断後もしくはガス供給を長期間止められた場合は、供給ガスを燃料源とする燃料電池からの電源供給が不可能となるため、マイコンバックアップ用の被充電回路である別電源から同時供給可能の構成としたことにより、マイコンの内部データが失われることもない。
【００２０】
そして、兼用される判定処理用のマイコンは、燃料電池の動作異常を検出すると、前記ガス遮断手段の表示手段に、表示も兼用して出力することも可能であり、前記燃料電池専用の表示手段は不要となる。
【図面の簡単な説明】
【図１】本発明の実施例１におけるガス保安メーターの構成図
【図２】同メーターの燃料電池の発電のフローチャート
【図３】従来のガス保安メーターの構成図
【符号の説明】
１　ガス流量計測手段
１Ａ　ガス流路部
２　燃料電池
３　ガス遮断手段
４　判定処理用マイコン
５　別電源
６　表示手段
【図１】
2004093164.tif 000003
【図２】
2004093164.tif 000004
【図３】
2004093164.tif 000005